(57)【要約】【課題】トイレや喫煙室、談話室などの共用スペースなどから呼び出しを行った場合でも、通話することなく、呼び出した患者が誰であるか特定することを可能とする。【解決手段】患者にハンド子機５００ａが貸与され、病室では、ウォールユニット２００ａにケーブル２１０ａを介して接続し、必要に応じて上記ハンド子機を操作して、医療従事者の呼び出しを行う。また病室外の共用スペースに移動する場合は、ハンド子機５００ａを持ち歩き、共用スペースに設置されるケーブル３１０ａに接続してハンド子機５００ａを操作する。この操作に応動してコネクタ３００ａは、ハンド子機５００ａから受信した子機ＩＤと自己に割り当てられているコネクタＩＤを、ナースコール親機１００に送信し、これに対しナースコール親機１００は、上記子機ＩＤとコネクタＩＤから呼び出した患者名と呼び出しを行った場所を特定し、医療従事者に報知するようにしたものである。【選択図】      図１
2006255006.tif 000002
【特許請求の範囲】
【請求項１】
ユーザが所持する子機からの呼出信号をネットワークを通じてナースコール親機が受信し、医療従事者に対して呼び出しを行うナースコールシステムであって、
施設内に分散配備され、前記ネットワークを介して前記ナースコール親機に接続される複数のインターフェースを備え、
前記子機は、
前記インターフェースに着脱自在で、前記インターフェースを介して前記ネットワークに接続する接続手段と、
ユーザからの要求を受け付ける受付手段と、
当該子機に固有に割り当てられた子機識別情報を記憶する記憶手段と、
前記受付手段が要求を受け付けた場合に、前記接続手段を通じて、前記記憶手段が記憶する子機識別情報を含む呼出信号を前記ナースコール親機に送信する制御手段とを備え、
前記ナースコール親機は、
前記子機に固有に割り当てられて子機識別情報と、前記子機を利用するユーザのユーザ識別情報とを対応づけて記憶するユーザ記憶手段と、
前記ネットワークを通じて前記子機から呼出信号を受信する受信手段と、
この受信手段が受信した呼出信号に含まれる子機識別情報に対応するユーザ識別情報を、前記ユーザ記憶手段が記憶する情報から検出する検出手段と、
この検出手段が検出したユーザ識別情報を医療従事者に報知する報知手段とを具備したことを特徴とするナースコールシステム。
【請求項２】
前記インターフェースは、
前記子機が着脱自在に接続される接続手段と、
前記ネットワークを通じて前記ナースコール親機と通信する通信手段と、
当該インターフェースに固有に割り当てられたインターフェース識別情報を記憶する記憶手段と、
前記接続手段を通じて前記子機から子機識別情報が入力された場合に、この情報に前記記憶手段が記憶するインターフェース識別情報を付加して、前記通信手段を通じて前記ナースコール親機に送信する制御手段とを備え、
前記ナースコール親機は、さらに
前記インターフェースに固有に割り当てられたインターフェース識別情報と、前記インターフェースが配備される場所を識別する場所識別情報とを対応づけて記憶する場所記憶手段を備え、
前記検出手段は、前記受信手段が受信した呼出信号に含まれる子機識別情報に対応するユーザ識別情報を前記ユーザ記憶手段が記憶する情報から検出するとともに、前記呼出信号に含まれるインターフェース識別情報に対応する場所識別情報を前記場所記憶手段から検出し、
前記報知手段は、前記検出手段が検出したユーザ識別情報および場所識別情報を医療従事者に報知することを特徴とする請求項１に記載のナースコールシステム。
【請求項３】
施設内に分散配備されたインターフェースからネットワークを通じて、ナースコール親機に呼出信号を送信するナースコール子機であって、
前記インターフェースに着脱自在で、前記インターフェースを介して前記ネットワークに接続する接続手段と、
ユーザからの要求を受け付ける受付手段と、
当該ナースコール子機に固有に割り当てられた子機識別情報を記憶する記憶手段と、
前記受付手段が要求を受け付けた場合に、前記接続手段を通じて、前記記憶手段が記憶する子機識別情報を含む呼出信号を前記ナースコール親機に送信する制御手段とを具備したことを特徴とするナースコール子機。
【発明の詳細な説明】
【技術分野】
【０００１】
この発明は、病院などの施設において、患者や被介護者が看護師などの医療従事者を呼び出すナースコールシステムに関する。
【背景技術】
【０００２】
周知のように、ナースコールシステムで用いられる従来のナースコール子機は、病室内において病床の近傍の壁と有線接続され、患者がナースコール子機を操作すると、その操作信号が上記有線を通じてナースステーションなどの設置されるナースコール親機に伝達され、呼び出しの発生が医療従事者に報知される（例えば、特許文献１参照）。
【０００３】
しかしながら、トイレや喫煙室、談話室などの共用スペースなどに設置される呼び出しボタンを通じて呼び出しを行った場合、通話を行わないと、呼び出した患者が誰であるか特定できないという問題があった。
【特許文献１】特開２００３−１２６１８３公報。
【発明の開示】
【発明が解決しようとする課題】
【０００４】
従来のナースシステムでは、トイレや喫煙室、談話室などの共用スペースなどに設置される呼び出しボタンを通じて呼び出しを行った場合、通話を行わないと、呼び出した患者が誰であるか特定できないという問題があった。
【０００５】
この発明は上記の問題を解決すべくなされたもので、トイレや喫煙室、談話室などの共用スペースなどから呼び出しを行った場合でも、通話することなく、呼び出した患者が誰であるか特定できるナースコールシステムおよびナースコール子機を提供することを目的とする。
【課題を解決するための手段】
【０００６】
上記の目的を達成するために、この発明は、ユーザが所持する子機からの呼出信号をネットワークを通じてナースコール親機が受信し、医療従事者に対して呼び出しを行うナースコールシステムであって、施設内に分散配備され、ネットワークを介してナースコール親機に接続される複数のインターフェースを備え、子機は、インターフェースに着脱自在で、インターフェースを介してネットワークに接続する接続手段と、ユーザからの要求を受け付ける受付手段と、当該子機に固有に割り当てられた子機識別情報を記憶する記憶手段と、受付手段が要求を受け付けた場合に、接続手段を通じて、記憶手段が記憶する子機識別情報を含む呼出信号をナースコール親機に送信する制御手段とを備え、ナースコール親機は、子機に固有に割り当てられて子機識別情報と、子機を利用するユーザのユーザ識別情報とを対応づけて記憶するユーザ記憶手段と、ネットワークを通じて子機から呼出信号を受信する受信手段と、この受信手段が受信した呼出信号に含まれる子機識別情報に対応するユーザ識別情報を、ユーザ記憶手段が記憶する情報から検出する検出手段と、この検出手段が検出したユーザ識別情報を医療従事者に報知する報知手段とを具備して構成するようにした。
【発明の効果】
【０００７】
以上述べたように、この発明では、子機が着脱自在なインターフェースを施設内に分散配備し、ユーザは呼び出しを行いたい場合には、子機をインターフェースに接続して受付手段を操作すると、記憶手段から固有の子機識別情報が読み出されて呼出信号とともにナースコール親機に送信され、これを受信したナースコール親機は、ユーザ記憶手段が記憶する情報と、受信した呼出信号に含まれる子機識別情報に基づいて、呼び出しを行ったユーザを検出し、医療従事者に報知するようにしている。
【０００８】
したがって、この発明によれば、トイレや喫煙室、談話室などの共用スペースなどに設置されたインターフェースから呼び出しを行った場合でも、通話することなく、呼び出した患者が誰であるか特定できるナースコールシステムおよびナースコール子機を提供できる。
【発明を実施するための最良の形態】
【０００９】
以下、図面を参照して、この発明の一実施形態について説明する。  
図１は、この発明の一実施形態に係わるナースコールシステムの構成を示すものである。このナースコールシステムは、ナースコール親機１００と、無線基地局１１０と、無線端末１２０と、廊下灯２１０〜２１ｎと、ウォールユニット２００ａ，２００ｂと、ケーブル２１０ａ，２１０ｂと、コネクタ３００ａ，３００ｂ，４００ａ，４００ｂと、ケーブル３１０ａ，３１０ｂ，４１０ａ，４１０ｂと、ハンド子機５００ａ，５００ｂとを備えている。
【００１０】
ナースコール親機１００は、図２に示すように構成される。すなわち、ナースコール親機１００は、制御部１０１と、記憶部１０２と、表示部１０３と、操作部１０４と、子機Ｉ／Ｆ部１０５と、ＬＡＮＩ／Ｆ部１０６と、基地局Ｉ／Ｆ部１０７とを備える。なお、このナースコール親機１００は、呼び出しを行った患者と医療従事者との通話を可能とするものであるが、その構成についての説明は省略する。
【００１１】
制御部１０１は、記憶部１０２に記憶される制御プログラムや制御データなどにしたがって、当該ナースコール親機１００の各部を統括して制御するものであって、患者からの呼び出し要求を検出し、これを看護師などの医療従事者に報知するものである。
【００１２】
記憶部１０２は、上記制御プログラムや制御データを記憶する他に、子機／患者対応テーブル１０２ａや、コネクタ／設置場所対応テーブル１０２ｂを記憶する。子機／患者対応テーブル１０２ａは、例えば図３に示すように、後述するハンド子機５００ａ，５００ｂにそれぞれ対応づけられた子機ＩＤと、これを利用する患者名のデータとを対応づけたテーブルである。
【００１３】
コネクタ／設置場所対応テーブル１０２ｂは、例えば図４に示すように、後述するコネクタ３００ａ，３００ｂ，４００ａ，４００ｂにそれぞれ対応づけられたコネクタＩＤと、これが設置される設置場所の名称データとを対応づけたものである。このほか、記憶部１０２は、病床識別情報と、病床番号と、利用する患者名を対応づけた病床／患者対応テーブル１０２ｃを記憶する。
【００１４】
表示部１０３は、ＬＣＤ（Liquid Crystal Display）などを用いたディスプレイであって、呼び出し要求を受け付けた患者名を表示して呼び出しの発生を報知したり、記憶部１０２に記憶される種々の情報を表示するもので、視覚的なマンマシンインターフェースの役割を担う。
【００１５】
操作部１０４は、複数のキースイッチや、上記表示部１０３上に設けられるタッチパネルなどの入力装置であって、ユーザである医療従事者からの要求を受け付けるマンマシンインターフェースの役割を担う。
【００１６】
子機Ｉ／Ｆ部１０５は、廊下灯２１０〜２１ｎを収容し、これらを通じて病室における患者からの呼び出し要求を受け付けるものである。  
ＬＡＮＩ／Ｆ部１０６は、施設内に敷設されるＬＡＮ回線を通じて、コネクタ３００ａ，３００ｂ，４００ａ，４００ｂを収容し、これらより送信される呼出信号を受信するものである。
【００１７】
基地局Ｉ／Ｆ部１０７は、複数の無線基地局１１０を収容し、患者から呼び出し要求が生じた場合に、上記無線基地局１１０を通じて無線端末１２０に呼び出し要求の発生を通知するものである。
【００１８】
再び図１を参照してナースコールシステムの構成について説明する。  
無線基地局１１０は、図１には１つしか図示していないが、実際には複数が施設内に分散して敷設される。そして無線基地局１１０は、ＰＨＳ（Personal Handyphone System）方式などを採用する無線基地局であって、医療従事者が携帯する無線端末１２０と無線通信し、ナースコール親機１００（基地局Ｉ／Ｆ部１０７）から通知される呼び出し要求の発生を無線端末１２０に通知する。無線端末１２０は、音声通信機能を備えるほかに、文字情報を表示する機能を備え、通話可能な端末装置である。
【００１９】
廊下灯２１０〜２１ｎは、それぞれ対応する病室の入り口近傍の廊下壁面に設置され、対応する病室内に敷設されるウォールユニット２００ａ，２００ｂを収容し、これらをナースコール親機１００（子機Ｉ／Ｆ部１０５）に接続する。
【００２０】
ウォールユニット２００ａ，２００ｂは、それぞれ病室内の病床に対応づけられて病室内壁面の病床近傍に設けられ、ケーブル２１０ａ，２１０ｂが接続される。ケーブル２１０ａ，２１０ｂは、それぞれハンド子機５００ａ，５００ｂが、物理的および電気的に着脱自在でコネクタを備え、このコネクタに接続されるハンド子機５００ａ，５００ｂをウォールユニット２００ａ，２００ｂにそれぞれ接続する。
【００２１】
コネクタ３００ａ，３００ｂは、それぞれ喫煙室内の壁面に設けられ、それぞれケーブル３１０ａ，３１０ｂが接続されるととも、ＬＡＮ回線を通じて、ナースコール親機１００（ＬＡＮＩ／Ｆ部１０６）に接続される。ケーブル３１０ａ，３１０ｂは、それぞれハンド子機５００ａ，５００ｂが、物理的および電気的に着脱自在でコネクタを備え、このコネクタに接続されるハンド子機５００ａ，５００ｂをコネクタ３００ａ，３００ｂにそれぞれ接続する。
【００２２】
コネクタ４００ａ，４００ｂは、それぞれトイレ内の壁面に設けられ、それぞれケーブル４１０ａ，４１０ｂが接続されるととも、ＬＡＮ回線を通じて、ナースコール親機１００（ＬＡＮＩ／Ｆ部１０６）に接続される。ケーブル４１０ａ，４１０ｂは、それぞれハンド子機５００ａ，５００ｂが、物理的および電気的に着脱自在でコネクタを備え、このコネクタに接続されるハンド子機５００ａ，５００ｂをコネクタ４００ａ，４００ｂにそれぞれ接続する。
【００２３】
ここで、図５を参照して、コネクタ３００ａの詳細な構成について説明する。なお、コネクタ３００ｂ，４００ａおよび４００ｂも同様の構成であることより説明を省略する。コネクタ３００ａは、制御部３０１と、子機Ｉ／Ｆ部３０２と、ＬＡＮＩ／Ｆ部３０３と、記憶部３０４とを備える。
【００２４】
子機Ｉ／Ｆ部３０２は、ケーブル３１０ａが物理的および電気的に接続され、上記ケーブル３１０ａを通じてハンド子機５００ａから入力される呼出信号を受信し、これに含まれる子機ＩＤを制御部３０１に出力する。
【００２５】
記憶部３０４は、当該コネクタ３００ａに固有に割り当てられたコネクタＩＤを記憶するものである。  
制御部３０１は、当該コネクタ３００ａの各部を統括して制御するもので、子機Ｉ／Ｆ部３０２から子機ＩＤが入力される場合に、上記記憶部３０４から上記コネクタＩＤを読み出して、これを上記子機ＩＤに付加して、呼出データを生成し、ＬＡＮＩ／Ｆ部３０３に出力する。
【００２６】
ＬＡＮＩ／Ｆ部３０３は、制御部３０１から呼出データが入力された場合に、これをＬＡＮ回線を通じて、ナースコール親機１００（ＬＡＮＩ／Ｆ部１０６）に送信するものである。
【００２７】
次に、図６を参照して、ハンド子機５００ａの構成について説明する。なお、ハンド子機５００ｂも同様の構成であることより説明を省略する。ハンド子機５００ａは、ナースコール子機であって、特定の患者に貸与され、制御部５０１と、Ｉ／Ｆ部５０２と、操作部５０３と、記憶部５０４と、発音部５０５とを備える。
【００２８】
操作部５０３は、例えば押しボタンのように、ユーザが呼び出しの要求を行いやすいマンマシンインターフェースであって、ユーザは医療従事者を呼び出したい場合に、上記押しボタンを押下する。
【００２９】
発音部５０５は、制御部５０１の制御により、上記操作部５０３に対するユーザ操作の確認音を拡声出力するものである。  
記憶部５０４は、当該ハンド子機５００ａに固有に割り当てられた子機ＩＤを記憶するものである。
【００３０】
制御部５０１は、当該ハンド子機５００ａの各部を統括して制御するものであって、ユーザによる操作部５０３に対する操作（押しボタン押下）を検出すると、発音部５０５を制御して確認音を拡声出力するとともに、Ｉ／Ｆ部５０２の接続対象に応じて、記憶部５０４から子機ＩＤを読み出して、これをＩ／Ｆ部５０２に出力したり、あるいはＯＮ信号をＩ／Ｆ部５０２に出力する。
【００３１】
Ｉ／Ｆ部５０２は、ケーブル２１０ａ，２１０ｂや、ケーブル３１０ａ，３１０ｂ，４１０ａ，４１０ｂに、物理的および電気的に接続されるインターフェースである。ケーブル２１０ａや２１０ｂを通じて、ウォールユニット２００ａや２００ｂに接続される場合には、制御部５０１からＯＮ信号が入力され、このＯＮ信号をウォールユニット２００ａや２００ｂに出力する。
【００３２】
一方、Ｉ／Ｆ部５０２は、ケーブル３１０ａ，３１０ｂ，４１０ａあるいは４１０ｂを通じて、コネクタ３００ａ，３００ｂ，４００ａあるいは４００ｂに接続される場合には、制御部５０１から子機ＩＤが入力され、これを含む呼出信号をコネクタ３００ａ，３００ｂ，４００ａあるいは４００ｂに出力する。
【００３３】
次に、上記構成のナースコールシステムの動作について説明する。  
まず、ハンド子機５００ａをケーブル２１０ａを介してウォールユニット２００ａに接続して運用する場合について説明する。ここで、ウォールユニット２００ａは、病床番号「６０１」の病床に対応づけられており、この病床を利用する患者「山田太郎」氏には、子機ＩＤ「００１」が割り当てられたハンド子機５００ａが貸与されているものとする。
【００３４】
「山田太郎」氏は、「６０１」の病床において、医療従事者を呼び出す必要が生じ、ハンド子機５００ａの操作部５０３を操作する。すると、この操作を制御部５０１が検出し、発音部５０５を制御して確認音を拡声出力するとともに、さらに制御部５０１は、この時点でＩ／Ｆ部５０２にはケーブル２１０ａを介してウォールユニット２００ａに接続されている（ＬＡＮ回線に接続されていない）ことを検出し、これよりＯＮ信号をケーブル２１０ａを介してウォールユニット２００ａに出力する。
【００３５】
ＯＮ信号が制御部５０１から入力されたＩ／Ｆ部５０２は、上記ＯＮ信号をケーブル２１０ａを介してウォールユニット２００ａに出力する。これに対してウォールユニット２００ａは、入力されたＯＮ信号を廊下灯２１０に出力する。
【００３６】
これに対して廊下灯２１０は、入力されたＯＮ信号が、病床番号「６０１」に対応するウォールユニット２００ａからのものであることを検出し、病床番号「６０１」を示す病床識別情報を含む呼出信号をナースコール親機１００（子機Ｉ／Ｆ部１０５）に出力する。
【００３７】
これに対して子機Ｉ／Ｆ部１０５は、上記呼出信号を受信し、この信号に含まれる病床識別情報を検出し、これを制御部１０１に出力する。これに対して制御部１０１は、入力された病床識別情報と、記憶部１０２が記憶する病床／患者対応テーブル１０２ｃとに基づいて、呼び出しが病床番号「６０１」を利用する「山田太郎」氏から発生したものであることを検出する。
【００３８】
そして制御部１０１は、表示部１０３に、呼び出しが発生した場所として病床番号「６０１」を表示するとともに、呼び出しを行った患者として「山田太郎」氏の氏名を表示する。さらに制御部１０１は、病床番号「６０１」と「山田太郎」氏の氏名を表示するためのテキストデータを生成し、これを、基地局Ｉ／Ｆ部１０７を制御して無線基地局１１０を通じて無線端末１２０に送信する。
【００３９】
これにより上記テキストデータは、医療従事者が携帯する無線端末１２０にて受信され、その表示部に病床番号を示す「６０１」と、呼び出しを行った患者名「山田太郎」が表示される
次に、患者「山田太郎」氏は喫煙したくなり、２Ｆの喫煙室に移動する場合には、ハンド子機５００ａをケーブル２１０ａから取り外し、ハンド子機５００ａを携帯して上記喫煙室に移動する。なお、トイレを利用する場合も同様であることより、その説明は省略する。
【００４０】
「山田太郎」氏は、喫煙室において、医療従事者を呼び出す必要が生じ、ハンド子機５００ａを例えばケーブル３１０ａに接続し、操作部５０３を操作する。すると、この操作を制御部５０１が検出し、発音部５０５を制御して確認音を拡声出力するとともに、さらに制御部５０１は、この時点でＩ／Ｆ部５０２にはケーブル３１０ａを介してコネクタ３００ａに接続されている（ＬＡＮ回線に接続されている）ことを検出する。
【００４１】
すると、制御部５０１は、記憶部５０４から子機ＩＤ「００１」を読み出してＩ／Ｆ部５０２に出力する。これに対してＩ／Ｆ部５０２は、入力された子機ＩＤ「００１」を含む呼出信号を生成し、ケーブル３１０ａを介してコネクタ３００ａ（子機Ｉ／Ｆ部３０２）に出力する。
【００４２】
これに対してコネクタ３００ａでは、子機Ｉ／Ｆ部３０２が上記呼出信号を受信し、この信号に含まれる子機ＩＤ「００１」を制御部３０１に出力する。これに対して制御部３０１は、記憶部３０４からコネクタＩＤを読み出して、これを上記子機ＩＤに付加して、呼出データを生成し、ＬＡＮＩ／Ｆ部３０３に出力する。なおここで、コネクタ３００ａにはコネクタＩＤ「１０３」が割り当てられているものとする。
【００４３】
これに対してＬＡＮＩ／Ｆ部３０３は、制御部３０１から呼出データが入力されると、これをＬＡＮ回線を通じて、ナースコール親機１００（ＬＡＮＩ／Ｆ部１０６）に送信する。
【００４４】
これに対してＬＡＮＩ／Ｆ部１０６は、上記呼出データを受信し、このデータに含まれる子機ＩＤとコネクタＩＤを検出し、これを制御部１０１に出力する。これに対して制御部１０１は、ＬＡＮＩ／Ｆ部１０６から入力された子機ＩＤと、記憶部１０２が記憶する子機／患者対応テーブル１０２ａとに基づいて、呼び出しが患者「山田太郎」氏から発生したものであることを検出する。
【００４５】
さらに、制御部１０１は、ＬＡＮＩ／Ｆ部１０６から入力されたコネクタＩＤと、記憶部１０２が記憶するコネクタ／設置場所対応テーブル１０２ｂとに基づいて、呼び出しが「２Ｆ喫煙室」から発生したものであることを検出する。
【００４６】
そして制御部１０１は、表示部１０３に、呼び出しが発生した場所として「２Ｆ喫煙室」を表示するとともに、呼び出しを行った患者として「山田太郎」氏の氏名を表示する。さらに制御部１０１は、呼出発生場所「２Ｆ喫煙室」と「山田太郎」氏の氏名を表示するためのテキストデータを生成し、これを、基地局Ｉ／Ｆ部１０７を制御して無線基地局１１０を通じて無線端末１２０に送信する。
【００４７】
これにより上記テキストデータは、医療従事者が携帯する無線端末１２０にて受信され、その表示部に呼出発生場所を示す「２Ｆ喫煙室」と、呼び出しを行った患者名「山田太郎」が表示される。
【００４８】
以上のように、上記構成のナースコールシステムでは、患者にそれぞれ特定のハンド子機（５００ａあるいは５００ｂ）が貸与され、病室で使用する場合には、患者が自己の病床に対応するウォールユニット（２００ａあるいは２００ｂ）にケーブル（２１０ａあるいは２１０ｂ）を介して接続し、必要に応じて上記ハンド子機を操作して、医療従事者の呼び出しを行う。
【００４９】
また、患者が病室外の共用スペースなどに移動したい場合には、貸与されたハンド子機（５００ａあるいは５００ｂ）をケーブル（２１０ａあるいは２１０ｂ）から取り外して持ち歩き、必要に応じて共用スペースに設置されるケーブル（３１０ａ，３１０ｂ，４１０ａあるいは４１０ｂ）に接続して上記ハンド子機を操作する。
【００５０】
この操作に応動して、上記ケーブルが接続されるコネクタ（３００ａ，３００ｂ，４００ａあるいは４００ｂ）は、上記ハンド子機から受信した子機ＩＤに自己に割り当てられているコネクタＩＤを対応づけて、ナースコール親機１００に送信し、これを受信したナースコール親機は、上記子機ＩＤとコネクタＩＤから呼び出した患者名と呼び出しを行った場所を判定し、医療従事者に報知するようにしたものである。
【００５１】
したがって、上記構成のナースコールシステムによれば、患者が自己の病床からの呼び出し要求だけではなく、共用スペースからの呼び出しでも、通話することなく、医療従事者に誰からの呼び出しであるかを報知できる。
【００５２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５３】
その一例として例えば、ナースコール親機１００が廊下灯２１０〜２１ｎをＬＡＮ回線で収容するようにしてもよい。  
その他、この発明の要旨を逸脱しない範囲で種々の変形を施しても同様に実施可能であることはいうまでもない。
【図面の簡単な説明】
【００５４】
【図１】この発明に係わるナースコールシステム一実施形態の構成を示すシステム構成図。
【図２】図１に示したナースコールシステムのナースコール親機の構成を示す回路ブロック図。
【図３】図２に示したナースコール親機の記憶部に記憶される子機／患者対応テーブルの一例を示す図。
【図４】図２に示したナースコール親機の記憶部に記憶されるコネクタ／設置場所対応テーブルの一例を示す図。
【図５】図１に示したナースコールシステムのコネクタの構成を示す回路ブロック図。
【図６】図１に示したナースコールシステムのナースコール子機の構成を示す回路ブロック図。
【符号の説明】
【００５５】
１００…ナースコール親機、１０１…制御部、１０２…記憶部、１０３…表示部、１０４…操作部、１０５…子機Ｉ／Ｆ部、１０６…ＬＡＮＩ／Ｆ部、１０７…基地局Ｉ／Ｆ部、１１０…無線基地局、１２０…無線端末、２００ａ，２００ｂ…ウォールユニット、２１０ａ，２１０ｂ…ケーブル、２１０〜２１ｎ…廊下灯、３００ａ，３００ｂ，４００ａ，４００ｂ…コネクタ、３０１…制御部、３０２…子機Ｉ／Ｆ部、３０３…ＬＡＮＩ／Ｆ部、３０４…記憶部、３１０ａ，３１０ｂ，４１０ａ，４１０ｂ…ケーブル、５００ａ，５００ｂ…ハンド子機、５０１…制御部、５０２…Ｉ／Ｆ部、５０３…上記操作部、５０３…操作部、５０４…記憶部、５０５…発音部。
【図１】
2006255006.tif 000003
【図２】
2006255006.tif 000004
【図３】
2006255006.tif 000005
【図４】
2006255006.tif 000006
【図５】
2006255006.tif 000007
【図６】
2006255006.tif 000008